(57)【特許請求の範囲】
【請求項１】
紙葉類を集積状態で収納する収納部と、
前記紙葉類を長手方向に搬送することにより前記収納部へ紙葉類を投入する搬送手段と、
前記収納部内部に設けられ対向面と共に紙葉類の短手方向両端部をガイドして紙葉類を整列集積させる整列ガイド部と、
投入される紙葉類を前記整列ガイド部と前記対向面との間に呼び込む呼び込み部とを具備してなり、
前記整列ガイド部は、対向面から紙葉類の短手方向幅に略一致する距離離間した位置で整列集積した紙葉類に接触する接触部位と当該接触部位よりも更に対向面から離間する非接触部位とを長手方向に沿って交互に配置して構成されていることを特徴とする紙葉類処理装置。
【請求項２】
前記整列ガイド部の非接触部位に前記紙葉類を外部から視認可能にするのぞき窓を設けている請求項１に記載の紙葉類処理装置。
【発明の詳細な説明】
【技術分野】
【０００１】
本発明は、紙幣等の紙葉類を整列集積状態で収納する収納部を有する紙葉類処理装置に係り、特に収納部での紙葉類の収納を適正化した紙葉類処理装置に関するものである。
【背景技術】
【０００２】
自動発券機や自動販売機等の紙葉類処理装置は、特許文献１に例示されるように、紙幣等の紙葉類を収納する金庫等の収納部と、紙葉類を搬送する搬送手段とを有し、この搬送手段を通じて収納部に対する紙幣の入出金を行うものである。
【先行技術文献】
【特許文献】
【０００３】
【特許文献１】特開２００６−１８７９８号公報
【発明の概要】
【発明が解決しようとする課題】
【０００４】
上記の収納部は、紙葉類を整列させた集積状態で収納するものであり、図８に例示するように、対向面１０３１から紙葉類Ｐａの短手方向幅Ｗ１に略一致する距離離間した位置に配置され対向面１０３１と共に紙葉類Ｐａの短手方向両端部をガイドして紙葉類Ｐａを整列集積させる整列ガイド部１０３２と、搬送手段により投入される紙葉類Ｐａを整列ガイド部１０３２と対向面１０３１との間に呼び込むための呼び込み部１０３３とを備える構成が通例である。
【０００５】
しかしながら、整列ガイド部１０３２のうち整列集積された紙葉類に接触する接触部位Ｓが長手方向の一端側から他端側に亘って連続して形成されているため、紙葉類Ｐａを搬送する際に紙葉類Ｐａに整列ガイド部１０３２から受ける摩擦力が蓄積して紙葉類Ｐａのジャム等の搬送不良を招くことがある。
【０００６】
本発明は、このような課題に着目してなされたものであって、その目的は、紙葉類との間に生じる摩擦を低減して搬送不良を抑制しつつ紙葉類を適切に整列集積させる紙葉類処理装置を提供することである。
【課題を解決するための手段】
【０００７】
本発明は、かかる目的を達成するために、次のような手段を講じたものである。
【０００８】
すなわち、本発明の紙葉類処理装置は、紙葉類を集積状態で収納する収納部と、前記紙葉類を長手方向に搬送することにより前記収納部へ紙葉類を投入する搬送手段と、前記収納部内部に設けられ対向面と共に紙葉類の短手方向両端部をガイドして紙葉類を整列集積させる整列ガイド部と、投入される紙葉類を前記整列ガイド部と前記対向面との間に呼び込む呼び込み部とを具備してなり、前記整列ガイド部は、対向面から紙葉類の短手方向幅に略一致する距離離間した位置で整列集積した紙葉類に接触する接触部位と当該接触部位よりも更に対向面から離間する非接触部位とを長手方向に沿って交互に配置して構成されていることを特徴とする。
【０００９】
このように、整列ガイド部は、対向面から紙葉類の短手方向幅に略一致する距離離間した位置で整列集積した紙葉類に接触する接触部位と接触部位よりも更に対向面から離間する非接触部位とを長手方向に沿って交互に配置して構成されているので、紙葉類の長手方向搬送時に紙葉類が接触部位から受けた摩擦力を非接触部位で解放されるとともに、各接触部位で抵抗を分散できるうえ、非接触部位を設けたことにより接触面積を低減させ、紙葉類を適切に整列蓄積させる機能を損なうことなく、紙葉類との間に生じる摩擦を低減して搬送不良を抑制することができる。
【００１０】
紙葉類の搬送に影響を与えることなく収納部に集積される紙葉類の量などを目視確認するためには、前記整列ガイド部の非接触部位に前記紙葉類を外部から視認可能にするのぞき窓を設けていることが望ましい。
【発明の効果】
【００１１】
本発明は、以上説明した構成であるから、紙葉類が整列ガイド部の接触部位から受けた摩擦を解放または分散し、紙葉類を適切に整列蓄積させる機能を損なうことなく、紙葉類との間に生じる摩擦を低減することが可能となり、ひいては搬送不良を抑制することが可能となる。
【図面の簡単な説明】
【００１２】
【図１】本発明の一実施形態に係る紙葉類処理装置の概略的な全体構成図。
【図２】一部の金庫を抜き取った状態を示す図１に対応した図。
【図３】同実施形態の構成および機能の概要を示すブロック図。
【図４】同実施形態において搬送手段及び収納部を示す模試的な図
【図５】図４のＩＩ−ＩＩ部分を示す模式的な断面図。
【図６】本発明の他の実施形態に係る図５に対応する模式的な断面図。
【図７】本発明のさらに他の実施形態に係る図５に対応する模式的な断面図。
【図８】従来の収納部を示す図５に対応した模式的断面図。
【発明を実施するための形態】
【００１３】
以下、本発明の一実施形態を、図面を参照して説明する。本実施形態では紙幣を取り扱う紙幣ブロックとしての紙葉類処理装置を例に挙げて説明する。
【００１４】
図１に示す本実施形態の紙葉類処理装置は、例えば乗車券やカード、精算切符等の券売を行う券売機として用いられるもので、紙幣ブロック１と、これにセットされて紙幣の収納場所となる４つの金庫Ａ〜Ｄと、投入される紙幣の金種を識別部２２で識別して金庫Ａ〜Ｄのうち対応する金庫に搬送経路２１を介して搬送する搬送手段２とを具備する。
【００１５】
紙幣ブロック１は、利用者に近い側に挿入口１１、出金口１３、返却口１４（以下、出金口１３及び返却口１４を合わせて払出口１２ともいう）を設けたもので、同じく利用者に近い側に固定式の混合金庫Ｄを内設し、側方であり係員が操作を行う側に３つのカセット式の金庫Ａ〜Ｃを設けている。また、紙幣ブロック１には、搬送経路２１上の紙幣を一時的に保留する一時保留部Ｅや出金保留部Ｆ、読み取り不能、重送発生、異常検知時の不良券を回収する不良券回収部Ｇ等も設けられている。カセット式の金庫Ａ〜Ｃは、図２に例示するように把手ｈを把持して引き出すことが可能とされた着脱可能な金庫である。
【００１６】
識別部２２は、図３に示すように、紙幣の金種判定を主として行うもので、挿入口１１から投入される紙幣の金種のみ識別する。これに対して、各金庫Ａ〜Ｄに紙幣が補給される場合や、各金庫Ａ〜Ｄから紙幣が回収される場合等には、図１に示す補給回収用の簡易型の識別部２０（以下、簡易識別部と称する）で金種識別を行う。ここに言う簡易型とは、金種識別のみを行い、紙幣の真性（偽造か否か）までは識別しないものを言う。
【００１７】
各金庫Ａ〜Ｃには、図４に示すように、紙幣を積み重ねた状態で収納する一次保留部ａ１や集積部ａ２等の収納部３（ａ１、ａ２）と、外部から搬送経路２１を介して搬送される紙幣等の紙葉類Ｐａを収納部ａ２に投入するとともに収納部３内の紙葉類Ｐａを搬送経路２１に向かって排出するための挟持ローラ２４等の搬送手段２が設けられている。一次保留部ａ１や集積部ａ２（収納部３）の側面には、内部に収納されている紙葉類Ｐａを目視確認するためののぞき窓４が形成されている。集積部ａ２には、紙葉類の集積方向でのぞき窓４同士が重なるように複数の長孔状ののぞき窓４が千鳥足状をなして配置されており、集積部ａ２の集積部ａ２の側部の強度を損なうことなく集積部ａ２に集積収納される紙葉類Ｐａをどのような集積量であっても目視確認可能にされている。
【００１８】
収納部３は、金庫Ａ〜Ｃの集積部ａ２や一次保留部ａ１〜ｃ１にかぎらず、搬送経路２１上の紙幣を一時的に保留する一時保留部Ｅや出金保留部Ｆにも設けられているが、ここでは金庫Ａの一次保留部ａ１を例として説明する。収納部３たる一次保留部ａ１は、図５に示すように、収納部３の側方内壁のうちの一方に整列ガイド部３２が設けられ、他方の内壁たる対向面３１と整列ガイド部３２とで紙葉類の短手方向両端部をガイドして、紙葉類Ｐａを短手方向に整列させて厚み方向に集積している。本実施形態の紙葉類Ｐａの短手方向幅Ｗ１は約５６ｍｍであり、整列ガイド部３２には、対向面３１から幅Ｗ１離間した位置に対向面３１と平行な面である接触部位Ｓを長手方向に二箇所配置し、この接触部位Ｓを紙葉類Ｐａに接触させている。二箇所の接触部位Ｓの間には、接触部位Ｓよりも更に対向面３１から離間し整列集積した紙葉類Ｐａに接触しない非接触部位Ｎが配置され、長手方向に沿って接触部位Ｓと非接触部位Ｎとが交互に配置されている。整列ガイド部３２の非接触部位Ｎは、収納部３内壁に対する取付部を兼ねているとともに、この非接触部位Ｎには上記ののぞき窓４が形成されている。こののぞき窓は、整列ガイド部３２の非接触部位Ｎと収納部３の側壁との重合部にそれぞれ打ち抜いて設けた孔によって構成されている。収納部３内部には、紙葉類Ｐａの入出部分側から整列ガイド部３２へ向けて対向面３１との幅を狭くして投入された紙葉類Ｐａを整列ガイド部３２と対向面３１との間に呼び込む呼び込み部３３が設けられている。この呼び込み部３３は、紙葉類Ｐａの長手方向（投入方向）に対して角度θ傾斜している。角度θは大きすぎると紙葉類Ｐａが呼び込み部３３に当接した際にジャム等の搬送不良が生じ、逆に角度θが小さすぎると呼び込み部３３の長手方向の寸法が大きくなるので、適切な値に設定されることが求められる。本実施形態では、角度θを１４°に設定しているが、好適な範囲としては５°〜１５°が挙げられる。上記の整列ガイド部３２の接触部位Ｓ及び非接触部位Ｎ並びに呼び込み部３３は、一枚の板金に対する折り曲げ等の板金加工により一連一体に構成している。なお、本実施形態の紙葉類Ｐａは、長手方向幅Ｗ２は約１５０ｍｍ〜１６０ｍｍであり、整列ガイド部３２の接触部位Ｓの一つの長手方向幅Ｗ３は約２０ｍｍであるので、整列ガイド部３２の紙葉類Ｐａと接触する接触部位Ｓの長手方向の長さ合計は、紙葉類Ｐａの長手方向幅Ｗ２の約２５％〜２６％となる。
【００１９】
搬送手段２は、図３に示すように、周知の紙幣処理装置と同様に、挾持ローラ２４、搬送ベルト、ウィング等の方向変換部などから構成される前記搬送経路２１と、上記の搬送機構３と、搬送される紙幣の金種を識別する前記識別部２２および簡易識別部２０と、この識別部２２或いは簡易識別部２０の識別結果等に基づいて前記搬送経路２１を制御する制御部２３（図３参照）とから構成される。そして、挿入口１１から投入された紙幣を識別部２２に通過させた後、搬送経路２１に沿って流通させ、随所に設けた分岐部ａ〜ｇで必要に応じて紙幣を方向変換して、金庫Ａ〜Ｄ、一時保留部Ｅ、出金保留部Ｆ、払出口１２、一次保留部ａ１〜ｃ１、不良券回収部Ｇ等へ搬送する動作を行うとともに、金庫Ａ〜Ｄ等から搬送経路２１上への紙幣の繰り出し動作、簡易識別部２０における金種識別、更には次なる搬送先である払出口１２や金庫Ａ〜Ｄへの搬送動作などを含む統括的な制御を行うように構成されている。
【００２０】
上記の制御を行うために、制御部２３は、ＣＰＵ、メモリ及びインターフェースを具備する通常のマイクロコンピュータユニットにより構成されて、メモリ内には図６に示す制御処理ルーチン等の所要のプログラムが書き込まれており、ＣＰＵは適宜必要なプログラムを呼び出して実行することにより、周辺ハードリソースと協働して、所期の搬送動作が実現される。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００２１】
以上に説明したように、本実施形態では、整列ガイド部３２が、対向面３１から紙葉類Ｐａの短手方向幅Ｗ１に略一致する距離離間した位置で整列集積した紙葉類Ｐａに接触する接触部位Ｓと接触部位Ｓよりも更に対向面３１から離間する非接触部位Ｎとを長手方向に沿って交互に配置して構成されているので、搬送手段２による紙葉類Ｐａの長手方向搬送時に紙葉類Ｐａが接触部位Ｓから受けた摩擦力を非接触部位Ｎで解放されるとともに、各接触部位Ｓで抵抗を分散できるうえ、非接触部位Ｎを設けたことにより接触面積を低減させ、紙葉類Ｐａを適切に整列蓄積させる機能を損なうことなく、紙葉類Ｐａとの間に生じる摩擦を低減して搬送不良を抑制することが可能となる。
【００２２】
特に、本実施形態では、整列ガイド部３２の接触部位Ｓの長手方向幅合計が、紙葉類Ｐａの長手方向幅の約２５％〜２６％に設定されているので、適切に紙葉類Ｐａを整列集積させつつ搬送不良を抑制することが可能となる。
【００２３】
さらに、本実施形態では、整列ガイド部３２の非接触部位Ｎに紙葉類Ｐａを外部から視認可能とするのぞき窓４を設けているので、のぞき窓４に紙葉類Ｐａが引っ掛かる等の紙葉類の搬送に影響を与えることなく収納部に集積される紙葉類の量などを目視確認することが可能となる。
【００２４】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００２５】
例えば、本実施形態では、収納部３の側方内壁のうちの一方に整列ガイド部３２及び呼び込み部３３を設けているが、図６に示す収納部１０３のように、整列ガイド部３２及び呼び込み部３３を紙葉類Ｐａの短手方向両側に設けてもよい。このようにすると、より一層、整列ガイド部３２により得られる効果を高めることが可能となる。
【００２６】
さらに、本実施形態では、整列ガイド部３２の接触部位Ｓは、対向面３１に平行な面であったが、図７に示す収納部２０３のように、整列ガイド部３２を複数の円弧状整列ガイド部２３２として、平面視で紙葉類Ｐａと円弧状整列ガイド部２３２とを点接触させてもよい。このようにすると紙葉類Ｐａと整列ガイド部との接触面積を低減でき、整列ガイド部により得られる効果を向上させることが可能となる。
【００２７】
その他、本実施形態では、紙葉類を紙幣Ｐａとしているが、乗車券やカード、精算切符等のその他の紙葉類に適用してもよい。
【００２８】
最後に、各部の具体的な構成は、上述した実施形態のみに限定されるものではなく、本発明の趣旨を逸脱しない範囲で種々変形が可能である。
【符号の説明】
【００２９】
２…搬送手段、３…収納部（一次保留部、集積部）、３１…対向面、３２…整列ガイド部、Ｓ…接触部位、Ｎ…非接触部位、３３…取り込み部、４…のぞき窓、Ｐａ…紙葉類、Ｗ１…紙葉類の短手方向幅
【図１】
0005434482.tif 000002
【図２】
0005434482.tif 000003
【図３】
0005434482.tif 000004
【図４】
0005434482.tif 000005
【図５】
0005434482.tif 000006
【図６】
0005434482.tif 000007
【図７】
0005434482.tif 000008
【図８】
0005434482.tif 000009